(57)【要約】【課題】  竪樋の外径が設計寸法に対して誤差が生じていても、該誤差を弾性的に吸収して、竪樋を一定の支持力でもって確実且つ安定した状態で支持することができる竪樋支持具を提供する。【解決手段】  建物の壁面から突出させた状態で固定させる固定脚部１の先端に、竪樋の外周面の一部を受止する円弧状支持面を有する左右一対の支持腕片２、２を一体に設けると共に一方の支持腕片２の先端に竪樋Ｂの他半部側を受止する円弧状支持面を有する湾曲支持枠片３を回動自在に取り付けてなる竪樋支持具において、上記支持腕片２、２の円弧状支持面に、先端に竪樋Ｂの外周面を受止する突起4aを突設している弾片４を径方向に撓み変形可能に形成し、これらの弾片４、４の突起4a、4aと湾曲支持枠片３の円弧状支持面とで竪樋Ｂを抱着状態に支持させるように構成している。【選択図】    図２
2007321477.tif 000002
【特許請求の範囲】
【請求項１】
建物の外壁面に固定する固定脚部の先端に竪樋の外周面の一部を支持する円弧状支持面を有する左右支持腕片を一体に設ける共に、一方の支持腕片の先端に、内周面を上記竪樋の外周面の他部を支持する円弧状支持面に形成している湾曲支持枠片の基端部を水平方向に回動自在に枢着し、この湾曲支持枠片の先端部を他方の固定腕片の先端に係止させて両固定腕片と湾曲支持枠片とにより上記竪樋を挟着、支持させるように構成した合成樹脂製の竪樋支持具において、上記両支持腕片と湾曲支持枠片とのいずれか一方の円弧状支持面に、周方向に間隔を存して先端に竪樋の外周面に圧接する突起を備えた一対の弾片を一体に設けていることを特徴とする竪樋支持具。
【請求項２】
円弧状支持面に上下方向に貫通する一定の円弧幅を有する凹部を形成していると共に、この凹部の開口端における一端部を弾片の支持基端部として該弾片を凹部の底面から小間隔を存した状態で上記支持基端部を支点として凹部内に向かって弾性的に撓み変形可能に周方向に突設してあり、この弾片の先端に竪樋の外周面に圧接させる突起を突設していることを特徴とする請求項１又は請求項２に記載の竪樋支持具。
【請求項３】
左右の固定腕片の円弧状支持面にそれぞれ弾片を設けていることを特徴とする請求項１又は請求項２に記載の竪樋支持具。
【発明の詳細な説明】
【技術分野】
【０００１】
本発明は建物の外壁面に沿って竪樋を取り付ける際に、この竪樋を固定、支持するための竪樋支持具に関するものである。
【背景技術】
【０００２】
従来から、竪樋支持具としては種々の構造のものが開発されており、例えば、半円環状に湾曲した一対の支持枠部を円環状に組み合わせて一方の対向端部を互いに回動自在に枢着すると共に他方の対向端部を互いに連結可能に構成し、さらに、一方の支持枠部に建物の外壁面に固定させるための支持脚部を一体に設けてなるものが広く知られているが、このような竪樋支持具によれば、竪樋の外径が設計寸法に対して微妙に誤差を生じているために、上記半円環状に形成した一対の支持枠部によって竪樋を挿通状態で支持した際に、竪樋の外径が設計寸法よりも僅かに小径となっている場合には、これらの支持枠部によって竪樋を挟着、支持するとガタツキが発生して安定した支持が困難となる一方、竪樋の外径が設計寸法よりも大径であると、一対の支持枠部によって該竪樋を挿通状態で挟持する際に、支持枠部同士の連結が困難となる虞れがある。
【０００３】
一方、特許文献１に記載されているように、円環状に湾曲したバンド体からなる支持金具の突き合わせ状態に対向している両端に、外方に向かってそれぞれ固定片を互いに並行状態に突設し、この支持金具に竪樋を挿通させたのち、両固定片間を螺子によって締め付けることにより、支持金具を縮径させて竪樋の外周面に圧接させるように構成した竪樋支持具も知られている。
【特許文献１】実開平６−１４３２７号公報
【発明の開示】
【発明が解決しようとする課題】
【０００４】
しかしながら、バンド体からなる支持金具は円環状に形成されているために、竪樋を支持する際に、竪樋に対して該竪樋を挿通させた状態に取り付けることが困難であるばかりでなく、固定片間を螺子の締めつけで結合させることにより、支持金具を縮径させてその内周面を竪樋の外周面に圧着させるものであるから、螺子による締付作業に手間を要して施工能率が低下すると共に、支持金具による竪樋の支持力は螺子の締付力の大小に左右されて均一な竪樋支持構造を得ることができないといった問題点がある。
【０００５】
さらに、竪樋の支持を安定化させるために、上記特許文献１には支持金具の内周面に周方向に小間隔を存して一対の突起を突設し、これらの突起と該突起間の中央部を通る直径線上の支持金具の内周面部との３点によって竪樋を支持するように構成することが開示されているが、上記螺子による締付力が大きいと、突起が竪樋の外周面を必要以上の大きな押圧力でもって圧着して竪樋が凹んだり損傷するといった問題点が生じる。
【０００６】
本発明はこのような問題点に鑑みてなされたもので、その目的とするところは、竪樋の支持作業が確実且つ能率よく行えるのは勿論、竪樋の外径が設計寸法に対して誤差が生じていても、該誤差を弾性的に吸収してガタツキなどを生じさせることなく常に一定の挟圧力でもって安定した支持を可能にすると共に竪樋に凹みや損傷を与える虞れのない竪樋支持具を提供するにある。
【課題を解決するための手段】
【０００７】
上記目的を達成するために本発明の竪樋支持具は、請求項１に記載したように、建物の外壁面に固定する固定脚部の先端に竪樋の外周面の一部を支持する円弧状支持面を有する左右支持腕片を一体に設ける共に、一方の支持腕片の先端に、内周面を上記竪樋の外周面の他部を支持する円弧状支持面に形成している湾曲支持枠片の基端部を水平方向に回動自在に枢着し、この湾曲支持枠片の先端部を他方の固定腕片の先端に係止させて両固定腕片と湾曲支持枠片とにより上記竪樋を挟着、支持させるように構成した合成樹脂製竪樋支持具において、上記両支持腕片と湾曲支持枠片とのいずれか一方の円弧状支持面に、周方向に間隔を存して先端に竪樋の外周面に圧接する突起を備えた一対の弾片を一体に設けていることを特徴とする。
【０００８】
このように構成した竪樋支持具において、請求項２に係る発明は、上記両支持腕片又は湾曲支持枠片の円弧状支持面に上下方向に貫通する一定の円弧幅を有する凹部を形成していると共に、この凹部の開口端における一端部を弾片の支持基端部として該弾片を凹部の底面から小間隔を存した状態で上記支持基端部を支点として凹部内に向かって弾性的に撓み変形可能に周方向に突設してあり、この弾片の先端に竪樋の外周面に圧接させる突起を突設していることを特徴とする。
【０００９】
請求項３に係る発明は、上記弾片を左右の固定腕片の円弧状支持面にそれぞれ設けていることを特徴とする。
【発明の効果】
【００１０】
本発明の竪樋金具によれば、左右支持腕片の円弧状支持面に竪樋の長さ方向の所定部分における外周面の一半部側を受止させた状態にして、湾曲支持枠片を該竪樋の外周面の他半部側に被せることにより、竪樋の支持作業が簡単に行えるのは勿論、湾曲支持枠片の基端部を一方の支持腕片の先端に回動自在に枢着し、先端部を他方の支持腕片の先端に係止させるように構成しているので、ボルト・ナット等の固着具を使用することなく竪樋の支持作業が能率よく行えるものであり、その上、竪樋を円弧状支持面に周方向に間隔を存して設けている弾片の先端突起と、これらの突起に対向している湾曲支持枠片の円弧状支持面の内周面部との３点部分によって支持させることができるので、ガタツキなどが生じることなく安定した竪樋の支持が可能になると共に、竪樋の外周面に圧接する突起を備えた弾片が径方向に弾性変形して、竪樋の外径が設計寸法に対して誤差が生じていても、該誤差を弾性的に吸収しながら弾片先端の突起を竪樋の外周面に常に一定の押圧力でもって圧接させることができ、竪樋に凹みや損傷を生じさせることなく竪樋を確実且つ強固に支持することができる。
【００１１】
請求項２に係る発明によれば、上記両支持腕片又は湾曲支持枠片の円弧状支持面に上下方向に貫通する一定の円弧幅を有する凹部を形成し、この凹部の開口端における一端部を先端に突起を突設している上記弾片の支持基端部とし、該弾片を凹部の底面から小間隔を存した状態で上記支持基端部を支点として凹部内に向かって弾性的に撓み変形可能に周方向に突設しているので、弾片を凹部の開口端の一端部からこの凹部の他端に向かって突設した片持ち梁形状に形成することができ、上記円弧状支持面をそのまま該弾片の内面に設けた構造となって竪樋の支持に何ら邪魔になることなく、竪樋の外周面を直接、両弾片の突起間上に架設状態に受止させることができる。従って、竪樋が円弧状支持面上で左右に妄動するのを確実に防止し、安定した竪樋支持構造を構成することができる。
【００１２】
また、請求項３に係る発明によれば、上記弾片を左右の支持腕片の円弧状支持面にそれぞれ形成しているので、建物の外壁面に沿って竪樋を施工する際に、竪樋を固定腕片の円弧状支持面に当接させると、その外周面の２箇所を弾片の突起間に架設状態で受止することができ、従って、グラツキなどを生じさせることなく安定的に支持した状態で能率よく正確に竪樋の施工作業を行うことができる。
【発明を実施するための最良の形態】
【００１３】
本発明の具体的な実施の形態を図面について説明すると、図１は合成樹脂製の竪樋支持具Ａの斜視図、図２は竪樋Ｂを挿通させた状態で支持している平面図、図３はその側面図、図４乃至図９は竪樋支持具Ａの六面図、図10はその横断面図であって、これらの図において、この竪樋支持具Ａは、建物の外壁面Ｃに固定させる一定長さと太さを有する固定脚部１と、この固定脚部１の先端から竪樋Ｂの外周面に沿うように互いに相反する水平方向に向かって円弧状に湾曲した左右支持腕片２、２と、一方の支持腕片２の先端に基端部を水平方向に回動自在に枢着していると共に先端部を他方の支持腕片２の先端部に係脱自在に係止させている湾曲支持枠片３と、上記支持腕片２、２に一体に形成されて竪樋Ｂの外周面に弾性的に圧接する突起4aを備えた弾片４とから構成されている。
【００１４】
この竪樋支持具Ａの構成をさらに詳述すると、上記両支持腕片２、２は、上下端面間の幅が固定脚部１の太さに等しい幅に形成されていると共にこの幅でもって竪樋Ｂの外周面に沿うように先端に向かうに従って内方（前方）に円弧状に湾曲させてあり、これらの両支持腕片２、２における竪樋Ｂ側に面した内周面を竪樋Ｂの外周面の一部を支持する凹円弧状に湾曲した円弧状支持面2aに形成している。
【００１５】
さらに、この円弧状支持面2aの左右両側部に、一定の深さと一定の円弧幅でもって両支持腕片２、２の上下端面間に貫通する凹部５、５を形成していると共に、これらの凹部５、５における竪樋Ｂ側に向かって開口している開口端の一端部を上記弾片４の支持基端部として該弾片４を凹部５の開口端の一端部から凹部５の底面上に沿って該凹部５の他端近傍部にまで突設している。この弾片４は竪樋Ｂの外周面に面した内面が上記円弧状支持面2aであり、内外面間の厚みは上記支持基端部を支点として弾性的に撓み変形可能な一定の厚みを有し、且つ、上記支持腕片２と上下端面間の幅を同一に形成されてあり、この弾片４の外面と凹部５の内底面との間には弾片４がその支持基端部を支点として該凹部５内に弾性的に没入可能な隙間を有していると共に、この弾片４の先端に支持すべき竪樋Ｂに向かって突設した突起4aを突設している。
【００１６】
また、左右支持腕片２、２における一方の支持腕片２の先端上半部に円筒形状の軸受部6aを形成し、この軸受部6aの下端面に上記湾曲支持枠片３の基端下半部に形成している円筒形状の軸受部6bの上端面を接合してこれらの軸受部6a、6bに支持ピン７を挿嵌することにより該支持ピン７を中心として湾曲支持枠片３を水平方向に回動自在に枢着している。さらに、他方の支持腕片２の先端部外面に、図10、図11に示すように、該支持腕片２の上下端面間に亘って貫通した係止溝８を形成している一方、上記湾曲支持枠片３の先端部内周面にこの係止溝８に係脱自在に係止するフック形状の係止爪部９を形成している。なお、湾曲支持枠片３の上下端面間の幅は上記左右支持腕片２、２と同一縦幅に形成されている。
【００１７】
さらに、図においては、左右支持腕片２、２の先端間の円弧長を竪樋Ｂの半周長よりも短い寸法に形成しているが、竪樋Ｂの半周長と略同一円弧長の半円環形状に形成しておいてもよく、同様に、湾曲支持枠片３の円弧長を竪樋Ｂの半周長よりも長い寸法に形成しているが、竪樋Ｂの半周長と略同一円弧長の半円環形状に形成しておいてもよい。この湾曲支持枠片３の凹円弧状に湾曲した円弧状支持面3aの内周面も竪樋Ｂの外周面と略同一湾曲面に形成してあり、上記左右支持腕片２、２の円弧状支持面2aとで竪樋Ｂを抱持状態に支持する円形状の内周面を形成するように構成している。
【００１８】
先端にこれらの左右支持腕片２、２を一体に設けている上記固定脚部１の基端部には、建物の外壁面Ｃに固定させるための取付基板10が一体に設けられている。この取付基板10は上下方向に長い長方形状に形成されあり、その上下部にビス孔等の取付孔11、11を設けている。
【００１９】
以上のように構成した竪樋支持具Ａによって、建物の壁面Ｃに沿って配設される竪樋Ｂを支持するには、この竪樋Ｂに該竪樋Ｂの長さ方向の所定部分毎に竪枠支持具Ａを配設して各竪樋支持具Ａの支持腕片２、２と湾曲支持枠片３とによって竪樋Ｂの所定部分を抱着、支持させると共に、これらの竪枠支持具Ａの固定脚部１の基端に設けている取付基板10をビスや螺子等によって建物の壁面Ｃに固着することによって行われる。
【００２０】
この際、竪樋支持具Ａにおける一方の支持腕片２の先端にその基端部をピン７により水平方向に回動自在に取り付けている湾曲支持枠片３を、その先端部に形成している係止爪部９と他方の支持腕片２の先端に形成している係止溝８との係止を解いて図11に示すように両支持腕片２、２から開放させ、この開放された空間部を通じて左右の支持腕片２、２の円弧状支持面2a、2aに、この円弧状支持面2aに対向する竪樋Ｂの外周一部を当接させると、竪樋Ｂの外周面がこの円弧状支持面2aに直接受止されることなく、円弧状支持面2aから内方に向かって突出している両弾片４、４の先端突起4a、4aによって受止され、これらの突起4a、4a間上にその外周面の一部が架設状態で支持されて左右方向に揺動することなく安定した支持状態となる。
【００２１】
この状態にして、湾曲支持枠片３を閉止する方向に回動させて両支持腕片２、２によって支持されていない竪樋Ｂにおける他部側の外周面に被せ、その先端係止爪部９を他方の支持腕片２の先端に設けている係止溝８に係止させると、竪樋Ｂがこの湾曲支持枠片３の円弧状支持面3aと両支持腕片２、２の円弧状支持面2aとで形成された円形状孔内に挿通した状態でこれらの両支持腕片２、２と湾曲支持枠片３とにより抱着、固定される。
【００２２】
この際、竪樋Ｂが湾曲支持枠片３の円弧状支持面3aによって両支持腕片２、２の円弧状支持面2a側に向かって押圧され、その押圧力に応じて該竪樋Ｂの外周一部を受止している両支持腕片２、２の弾片４、４の突起4a、4aが弾片４、４をその基端部を支点として外径方向に弾性的に撓み変形させながら凹部５内に向かって変移し、竪樋Ｂの外径の大小に応じてその変移量（弾性変形量）を変化させて竪樋Ｂをこれらの両弾片４、４の突起4a、4aと湾曲支持枠片３の円弧状支持面3aにおける中央部とにより、一定の弾圧力でもって確実且つ強固に支持させることができる。
【００２３】
なお、以上の実施の形態においては、先端に突起4aを有する弾片４、４を左右の両支持腕片２、２側に設けているが、図12に示すように、湾曲支持枠片３側に設けておいてもよい。即ち、この湾曲支持枠片３の円弧状支持面3aに周方向に所定間隔を存して一定の深さと一定の円弧幅でもって上下端面間に貫通する凹部5'、5'を形成していると共に、これらの凹部5'、5'における竪樋Ｂ側に向かって開口している開口端の一端部を弾片4'の支持基端部として該弾片4'を凹部5'の開口端の一端部から凹部5'の底面上に沿って該凹部5'の他端近傍部にまで突設し、その基端部を支点として径方向に弾性的に撓み変形可能に形成していると共にこれらの弾片4'、4'の先端に内方に向かって竪樋Ｂを受止する突起4a' を突設してなるものである。その他の構造については上記図１に示す竪樋支持具Ａと同一であるので、同一部分には同一符号を付して詳細な説明を省略する。
【００２４】
このように構成した竪樋支持具A'によれば、弾片4'を備えていない両支持腕片２、２の円弧状支持面の長さ方向の中央部と湾曲支持枠片３の円弧状支持面3aに形成している上記弾片4'、4'の先端突起4a' 、4a' とにより竪樋Ｂの外周面を３点支持状態で弾性的に支持させることができる。
【００２５】
また、上記竪樋支持具Ａ、A'においては、両支持腕片２、２と湾曲支持枠片３とのいずれか一方にのみ、先端に突起4a、4a' を突設している弾片４、４（4'、4'）を設けているが、両支持腕片２、２と湾曲支持枠片３とのいずれか一方に先端に突起を突設している一つの弾片を、他方に先端に突起を突設している二つの弾片を設けておき、これらの３つの弾片によって竪樋Ｂの外周面を３点支持状態で弾性的に支持させるように構成しておいてもよい。
【図面の簡単な説明】
【００２６】
【図１】竪樋支持具の斜視図。
【図２】竪樋を支持している状態の平面図。
【図３】その側面図。
【図４】竪樋支持具の平面図。
【図５】正面図。
【図６】背面図。
【図７】底面図。
【図８】左側面図。
【図９】右側面図。
【図１０】横断面図。
【図１１】湾曲支持枠片を開放した状態の斜視図。
【図１２】本発明の別な竪樋支持具を示す横断面図。
【符号の説明】
【００２７】
Ａ  竪樋支持具
Ｂ  竪樋
１  固定脚部
２  支持腕片
2a  円弧状支持面
３  湾曲支持枠片
3a  円弧状支持面
４  弾片
4a  突起
５  凹部
10  取付基板
【図１】
2007321477.tif 000003
【図２】
2007321477.tif 000004
【図３】
2007321477.tif 000005
【図４】
2007321477.tif 000006
【図５】
2007321477.tif 000007
【図６】
2007321477.tif 000008
【図７】
2007321477.tif 000009
【図８】
2007321477.tif 000010
【図９】
2007321477.tif 000011
【図１０】
2007321477.tif 000012
【図１１】
2007321477.tif 000013
【図１２】
2007321477.tif 000014